(57)【特許請求の範囲】
【請求項１】
２０Ａないし３００Ａの大電流用ノイズフィルタであって、
両端部に外部接続用端子穴を設けて形成された複数のコイルをコアに組付けたコイル組立体と、該コイル組立体を収容する上下のケースからなるケースと、一対の端子台とを備え、
前記端子台は前記コイル組立体の両側に突出させた各コイルの端部に対応する箇所間に仕切りを有すると共に、前記各コイルの端部を前記仕切り間に導く貫通穴状のスリットを有し、かつ前記各コイルの端部に対応する箇所にナットを固定し、
前記コイルは平角線でなり、前記コイル両端部と前記コイル巻回部との間に捻り部を設けることにより、コイル両端部の板面が上下に向く形状となる端子部を形成し、
該端子部には、前記ケース内に設けられるコンデンサまたは抵抗を接続するための端子を接続しており、
前記コイルの端部を前記スリットに挿着すると共に該各コイルの端部を前記ナットに重ねて前記コイル組立体に前記端子台を組付け、
該各端子台を、その両端に設けた溝を下ケースの開口縁に設けた切込みの左右の内縁に嵌合して前記端子台を前記下ケースに固定し、
接続用のねじを、外部リード線の端子の端子穴と、前記コイルの端部の端子穴に挿通して前記ナットに螺合することにより、前記コイルの端部を前記外部リード線に接続したことを特徴とする大電流用ノイズフィルタ。
【請求項２】
請求項１において、
前記コイル両端部の端子穴の形成部分の幅をコイルの幅より拡げたことを特徴とする大電流用ノイズフィルタ。
【発明の詳細な説明】
【０００１】
【発明の属する技術分野】
本発明は、ラインフィルタ等の大電流用ノイズフィルタに関する。
【０００２】
【従来の技術】
この種のノイズフィルタは、例えば特開平７−４５４５７号公報に開示されているように、金属製ケースの内底部に絶縁台を設け、該絶縁台にはコイルコアおよびボビンからなるコイル組立体をセットして固定金具によりコイル組立体を固定し、該絶縁台に設けた中継端子を、金属製ケースの両端の端子に接続すると共に、コイル端部と前記中継端子とを接続する構造を有している。
【０００３】
【発明が解決しようとする課題】
上述のように、従来のノイズフィルタは、コイル組立体を金属製ケースに固定するために、中継端子を有する絶縁台や固定金具を必要としているので、部品点数が多く、かつ組立工数が多く、コスト高になるという問題点がある。また、接続箇所が多いために、電気的信頼性が低くなるという問題点がある。
【０００４】
本発明は、上記問題点に鑑み、部品点数や組立工数が少なく、簡単な構造により実現可能となることによりコスト低減が図れ、電気的信頼性の向上した大電流用ノイズフィルタを提供することを目的とする。
【０００５】
【課題を解決するための手段】
請求項１の大電流用ノイズフィルタは、２０Ａないし３００Ａの大電流用ノイズフィルタであって、
両端部に外部接続用端子穴を設けて形成された複数のコイルをコアに組付けたコイル組立体と、該コイル組立体を収容する上下のケースからなるケースと、一対の端子台とを備え、
前記端子台は前記コイル組立体の両端に突出させた各コイルの端部に対応する箇所間に仕切りを有すると共に、前記各コイルの端部を前記仕切り間に導く貫通穴状のスリットを有し、かつ前記各コイルの端部に対応する箇所にナットを固定し、  前記コイルは平角線でなり、前記コイル両端部と前記コイル巻回部との間に捻り部を設けることにより、コイル両端部の板面が上下に向く形状となる端子部を形成し、
該端子部には、前記ケース内に設けられるコンデンサまたは抵抗を接続するための端子を接続しており、
前記コイルの端部を前記スリットに挿着すると共に該各コイルの端部を前記ナットに重ねて前記コイル組立体に前記端子台を組付け、
該各端子台を、その両端に設けた溝を下ケースの開口縁に設けた切込みの左右の内縁に嵌合して前記端子台を前記下ケースに固定し、
接続用のねじを、外部リード線の端子の端子穴と、前記コイルの端部の端子穴に挿通して前記ナットに螺合することにより、前記コイルの端部を前記外部リード線に接続した
ことを特徴とする。
【０００６】
これにより、コイル端部が端子として兼用されるので、部品点数の低減、工数の低減が達成されてコスト低減が図れると共に、接続箇所の数が少なくなるため、電気的信頼性が高まる。
【０００７】
請求項２の大電流用ノイズフィルタは、前記コイル両端部の端子穴の形成部分の幅をコイルの幅より拡げたことを特徴とする。
【０００８】
このように、コイル端部を拡げることにより、端子部のリード接続用ねじとしてより大きなサイズのものを用いることが可能となり、また、コイルを構成する線材として小径もしくは狭幅の線材を用いることができ、コイル径の小さな小型で大電流のノイズフィルタを構成することができる。
【００１１】
【発明の実施の形態】
図１は本発明による大電流用ノイズフィルタの一実施の形態を示す分解斜視図、図２（Ａ）はその組付け状態を示す斜視図、図２（Ｂ）はその端子部を示す断面図、図２（Ｃ）はコイル端部の平面図、図３（Ａ）は該ノイズフィルタの回路図である。
【００１２】
図１および図２において、１は金属製ケースであり、該金属製ケース１は下ケース３と上ケース２（図２（Ｂ）参照）とをねじ（図示せず）によって結合することにより一体的に組合わされる。下ケース３の両端の開口縁に設けた切欠部３ａの左右の内縁に、一対の合成樹脂製端子台５、６の両端の左右の溝を嵌め込んでこれらの端子台５、６を下ケース３に固定する。
【００１３】
１１、１２は平角線でなるコイルであり、それぞれＵ形コアどうしの組合わせ、またはＵ形コアとＩ形コアとの組合わせからなるコア１３を組付けたボビン１５に巻かれており、両コイル１１、１２間に絶縁板１７を介在させてコイル組立体７を構成している。各コイル１１、１２は眼鏡形に形成されたものであり、ボビン１５はＨ形の分割ボビンの組合わせによって構成される。
【００１４】
コイル１１、１２の両端は絶縁被覆を剥離しかつ半田メッキを施して端子部１１ａ、１１ｂ、１２ａ、１２ｂとして構成したものであり、各端子部１１ａ、１１ｂ、１２ａ、１２ｂにはそれぞれ端子穴９が設けられ、かつこれらの端子部１１ａ、１１ｂ、１２ａ、１２ｂが上下に向いて端子部として機能するように、端子部１１ａ、１１ｂ、１２ａ、１２ｂとコイル巻回部との間にそれぞれ捻り部１０が設けられている。また、図２（Ｃ）に示すように、端子部１１ａ、１１ｂ、１２ａ、１２ｂはプレス成形により、各コイル１１、１２の幅より広幅に形成されている。
【００１５】
ボビン１５の鍔部１５ａの下面にはねじ孔１６が設けられ、ケース１の底板に設けた孔１８に通したねじ１９を前記ねじ孔１６にねじ込むことにより、コイル組立体７をケース１に固定している。該コイル組立体７は、上ケース２も鍔部１５ａにねじ付けしてもよい。
【００１６】
各端子台５、６は図２（B）に示すように前記コイル１１、１２の端子部１１ａ、１１ｂ、１２ａ、１２ｂを挿通する貫通穴状のスリット２１、２２を有し、かつ図１、図２（A）、図２（B）に示すように、端子部１１ａ、１１ｂ、１２ａ、１２ｂに対応する箇所間は仕切りにより区画されており、各コイルの端部に対応する箇所にナット２３が固定される。そして図２（B）に示すように、前記コイル１１、１２の端子部１１ａ、１１ｂ、１２ａ、１２ｂを、端子台５、６に設けた前記スリット２１、２２に挿着してナット２３に重ねることにより、端子台５、６がコイル組立体７に組付けられる。そして、端子台５、６を下ケース３の切込み３ａに嵌め込み、接続用のねじ２５を、外部リード線２４の端子の端子穴２４ａと、前記端子部１１ａ、１１ｂ、１２ａ、１２ｂの端子穴９に挿通し、かつ前記ナット２３に螺合することにより、外部リード線２４が各端子部１１ａ、１１ｂ、１２ａ、１２ｂに接続される。
【００１７】
図３（Ａ）に示すように、端子部１１ａ、１２ａ間にはＸコンデンサＣｘとＹコンデンサＣｙが取付けられ、端子部１１ｂ、１２ｂ間にはＸコンデンサＣｘが設けられる。また、Ｌ１、Ｌ２はそれぞれコイル１１、１２およびコア１３により構成される。また、電源オフ時にインダクタＬ１、Ｌ２に生じる逆起電力およびコンデンサＣｘ、Ｃｙの放電とノイズ除去のため、必要に応じて、端子部１１ｂ、１２ｂ間に抵抗Ｒが設けられる。各端子部１１ａ、１１ｂ、１２ａ、１２ｂには、図２（Ｂ）に示すように、ケース１内に設けられる前記コンデンサＣｘ、Ｃｙまたは抵抗Ｒを接続するための端子２６を溶接している。なお、図１、図２（Ａ）においては、これらのコンデンサＣｘ、Ｃｙまたは抵抗Ｒの図示を省略している。
【００１８】
コイル１１、１２は大電流（２０Ａ〜３００Ａ）で使用可能でしかも小型に構成するために、本実施の形態においては、平角線を使用し、コイルの半径方向の線材幅が巻心方向の線材幅より大となるように形成されて巻かれているが、本発明は、図３（Ｂ）に示すように、断面形状が円形等他の線材３０を用い、端子穴３０ｂを有する端部３０ａを平板状に拡大して形成してもよい。
【００１９】
このように、コイル１１、１２の端部を端子部として構成することにより、別部品としての端子が不要となるので、部品点数の低減、工数の低減が達成されてコスト低減が図れると共に、接続箇所の数が少なくなるため、電気的信頼性が高まる。また、コイル端部を拡げることにより、端子部のリード接続用ねじ２５としてより大きなサイズの大電流が流せるものを用いることが可能となり、一方、コイル１１、１２用線材として小径あるいは狭幅の線材を用いることができ、コイル径の小さな小型で大電流用ノイズフィルタを構成することができる。また、コイル両端の端子部１１ａ、１１ｂ、１２ａ、１２ｂ部とコイル巻回部との間に捻り部１０を設けることにより、コイル両端部の板面が上下に向く形状に形成したので、広い接触面積の端子面が容易に得られる。また、端子面が上下に向くため、外部接続端子の取付けが容易である。
【００２０】
本発明は、３相用のものとして構成することもできる。また、コイルはその一端が端子部１１ａ、１１ｂをケース１の同じ側にセットし、端子部１２ａ、１２ｂをケース１の他方の側にセットする構成としてもよい。また、ボビンが２個の筒部を有するものではなく、１個の筒部を有するものとして構成することもできる。また、コイル１１、１２とコア１３間に例えばシート状の絶縁物を介在させることにより、ボビン１５は無くした構成としてもよい。
【００２１】
【発明の効果】
請求項１によれば、２０Ａないし３００Ａの大電流用ノイズフィルタであって、両端部に外部接続用端子穴を設けて形成された複数のコイルをコアに組付けたコイル組立体と、該コイル組立体を収容する上下のケースからなるケースと、一対の端子台とを備え、前記端子台は前記コイル組立体の両端に突出させた各コイルの端部に対応する箇所間に仕切りを有すると共に、前記各コイルの端部を前記仕切り間に導く貫通穴状のスリットを有し、かつ前記各コイルの端部に対応する箇所にナットを固定し、前記コイルは平角線でなり、前記コイル両端部と前記コイル巻回部との間に捻り部を設けることにより、コイル両端部の板面が上下に向く形状となる端子部を形成し、該端子部には、前記ケース内に設けられるコンデンサまたは抵抗を接続するための端子を接続しており、前記コイルの端部を前記スリットに挿着すると共に該各コイルの端部を前記ナットに重ねて前記コイル組立体に前記端子台を組付け、該各端子台を、その両端に設けた溝を下ケースの開口縁に設けた切込みの左右の内縁に嵌合して前記端子台を前記下ケースに固定し、接続用のねじを、外部リード線の端子の端子穴と、前記コイルの端部の端子穴に挿通して前記ナットに螺合することにより、前記コイルの端部を前記外部リード線に接続したので、コイル端部が端子として兼用され、部品点数の低減、工数の低減が達成されてコスト低減が図れる。また、接続箇所の数が少なくなるため、電気的信頼性が高まる。また、前記コイルが平角線でなるため、小型で大電流のノイズフィルタが容易に構成でき、また、前記コイル両端部とコイル巻回部との間に捻り部を設けることにより、コイル両端部の板面が上下に向く形状に形成したので、広い接触面積の端子面が容易に得られる。また、端子面が上下に向くため、端子の取付けが容易である。
【００２２】
請求項２によれば、コイル両端部の端子穴の形成部分の幅をコイルの幅より拡げたので、端子部のリード接続用ねじとしてより大きなサイズのものを用いることが可能となり、このため、端子部において電流が制限されることがなく、また、小径もしくは狭幅の線材を用いることができるので、コイル径の小さな小型で大電流のノイズフィルタを構成することができる。
【図面の簡単な説明】
【図１】本発明によるノイズフィルタの一実施の形態を示す分解斜視図である。
【図２】（Ａ）は図１のコイル組立体の分解斜視図、（Ｂ）はその端子部を示す断面図、（Ｃ）はそのコイル端部の平面図である。
【図３】（Ａ）は本実施の形態のノイズフィルタの回路図、（Ｂ）はコイルを構成する線材の他の例を示す平面図である。
【符号の説明】
１：ケース、３：下ケース、５、６：端子台、７：コイル組立体、９：端子穴、１０：捻り部、１１、１２：コイル部、１１ａ、１１ｂ、１２ａ、１２ｂ：端子部、１３：コア、１５：ボビン、１６：ねじ孔、１７：絶縁板、２３：ナット、２４：外部リード線、２５：ねじ
【図１】
0003723684.tif 000002
【図２】
0003723684.tif 000003
【図３】
0003723684.tif 000004